(57)【要約】【課題】軽量で簡単に移動持ち運び出来るバトミントン練習用シャトルコック引き出し器を提供する。【解決手段】本考案器具はシャトルコック供給筒２を据付ける支持台に通常カメラ用三脚１を利用して、軽量コンパクトにする。  シャトルコック供給筒２と雲台１ｇを結合する。雲台１ｇは通常カメラ用三脚１から簡単に着脱できる構造なので雲台１ｇに結合しているシャトルコック供給筒２も共に容易に着脱できる。更に小型化する為にシャトルコック供給筒２をテレスコープのように伸縮式２−１、２−２にする。  シャトルコック供給筒下部引き出し口２ｃの形を台形かまぼこ形２ｃ−１または絞り形２ｃ−２にする。  シャトルコック供給筒２は取り付けプレート３を使い二から三連、またはそれ以上連ねて雲台１ｇに結合することができる。ノッカーはシャトルコック４を二から三個またはそれ以上同時に引き出すことができる。  シャトルコック補給用のカセット筒５を備える。【選択図】  図１
2005211645.tif 000002
【特許請求の範囲】
【請求項１】
バトミントンの練習時、シャトルコックの引き出し器具。
軽量にして運搬が容易にできるように、シャトルコック供給筒を据付ける支持台をアルミ製または、カーボンファイバー製等の通常カメラ用三脚を利用すること。
【請求項２】
雲台とシャトルコック供給筒は取り付けプレートで結合する。支持台である通常カメラ用三脚に雲台と結合しているシャトルコック供給筒が簡単に着脱できる器具。
【請求項３】
伸縮するシャトルコック供給筒。
シャトルコック供給筒は縮めて短く収納。使用時は伸ばして活用する。
【請求項４】
通常カメラ用三脚支持台に雲台と取り付けプレートを使いシャトルコック供給筒を一本だけでなく二から三連、またはそれ以上連ねて設置することで、シャトルコックを二から三個またはそれ以上同時に引き出すことが出来るシャトルコック供給器具。
【請求項５】
供給筒下部シャトル引き出し口の断面形とその仕組み。
縦長の台形かまぼこ形。或いは、絞り形としたシャトルコック供給筒。
【請求項６】
シャトルコックを供給補充するカセット筒。
【請求項７】
シャトルコック供給筒と通常カメラ用三脚の雲台を結合する取り付けプレートとその結合支持部材。
【発明の詳細な説明】
【技術分野】
【０００１】本考案はバトミントンの練習時、ノッカーがシャトルコックを一個ずつでも二個、またはそれ以上でも同時に次々と引き出すことができる器具です。軽量で着脱容易なので、コートの内外を問わず、女性でも簡単に持ち運べる道具です。
【背景技術】
【０００２】バトミントンの練習時、コーチ等が早いリズムでシャトルコックをノックし、相手コートの者がこれを打ち返す練習がある。この際、コーチ等はシャトルを補助者あるいは、特許文献１，２，３にみられるシャトルコック取り出し装置と称される固定された装置から受け取っていた。この取り出し装置は、シャトルコックの羽根径によっては取り出し口を通り抜けて床に落ちてしまうものがあった。また、これらを固定する台は重いうえに大きいので移動が困難である。特許文献４では、この取り出し装置を体に結え付けてシャトルコックを取り出している。三個同時に持てるのは良いが、体にベルトを巻付けて装着しているのでノッカーはラケットの振り方が不自由になっていた。一方、特許文献５には安定性があり軽量な従来の通常カメラ用三脚がある。
打ち返されたシャトルコックは床に散乱し、ノッカーの足元を危険にしていた。また、このシャトルコックを一個ずつ供給筒に入れて補充していた。【０００３】
【特許文献１】  実開平６−２３５６１号広報
【特許文献２】  実開平６−４６７５８号広報
【特許文献３】  特開平９−１１７５３９号広報
【特許文献４】  特開２００３−１７５１３８号広報
【特許文献５】  実開平３−６９８００号広報
【発明の開示】
【発明が解決しようとする課題】
【０００４】  前記した特許文献のこれらの装置は、いかにも重量があり、設置や運搬に苦労するものである。体に装着するものは使用中の重さで疲れ、固定するバンドで身動きが不自由になっていた。バトミントンの練習に限らず、広い場所を必要とするスポーツ施設が不足しており、一ヵ所の体育館等だけを利用して練習出来る環境にはない。選手たちは練習場所を求めて各施設を移動しているのである。また、指導者は様々なクラブやサークルをコーチして回っている。前記した特許文献１、２、３、に示されているものは重くて容易に移動できない。指導者が自宅等から練習会場等に簡単に持ち運びができなければならない。買物かごに収まる程度の大きさと重量で、乗用車に楽々収納でき移動できなければならない。【０００５】また、練習用シャトルコックは、羽根の痛みが早いので新品の羽根状態を維持できなく、羽根の径が小さくなっているものが多い。練習では新品のシャトルコックばかりを使うわけにはいかない。羽根の折れたものや、羽根の径の小さくなったものまで使用している。また水鳥羽根ばかりでなくナイロン製のシャトルも使われる。特許文献３の取り出し筒先部分の径口は羽根の径の大きさによっては、すり抜けて床に落ちてしまうことがある。これを改良する為、特許文献１には取り出し口をシャトルの種類によりその都度取替る考案もあるが、どんな羽根の形でも大きさでも対応したい。
【課題を解決するための手段】
【０００６】簡単に持ち運び携帯できるように重量を軽くする必要がある。シャトルコック供給筒を支持する台として、本考案は特許文献５に代表される軽量コンパクトな従来の通常カメラ用三脚を利用する。
通常カメラ用三脚の主な材質はカーボンファイバー製やアルミ製等が良い。シャトルコック供給筒を雲台で着脱可能にする。小型化する為にシャトルコック供給筒をテレスコープのように伸縮式にする。【０００７】損傷して小さくなった羽根径でもバトミントンの練習時利用できるようにシャトルコック供給筒下部引き出し口の形を縦長台形かまぼこ形または絞り形にする。シャトルコック供給筒を二から三連、またはそれ以上に連ねて設置することで、二から三個またはそれ以上同時に引き出すことが出来る。図１では横二本、図５では横に三本設置したところを示している。また縦列やピラミッド型に並べても良い。【０００８】尚、請求項２記載にある着脱できる構造だけでなく、シャトルコック供給筒を通常カメラ用三脚の分離できない雲台に固定して使うシャトルコック供給器具も含まれるものとする。
収納する方法は通常カメラ用三脚の脚を縮めて、シャトルコック供給筒を傾斜させ通常カメラ用三脚の脚と平行に並べコンパクトにするのである。【０００９】また、請求項３記載にあるシャトルコック供給筒は伸縮しない所定の長さをもったものでも良い。これらも一本での使用に限らず複数本で利用できるものとする。【００１０】請求項５記載にある筒下引き出し部分は筒一体型に限らず、この部分だけの交換取替型としたものでも良い。【００１１】請求項７記載の固定方法はこれに限定されるものではない。
取り付けプレートに結合するにはシャトルコック供給筒外周と同じ径で筒外周を絞めつけるリングバンド等で固定する方法もある。
【発明の効果】
【００１２】供給筒下部のシャトルコック引き出し口断面形が縦長の台形かまぼこ形なので、口の上が広く、下にいくにつれて狭くなっている。シャトルコックの羽根が新品でも損傷して外径が小さくなったものでも、羽根がこの引き出し口の断面形によって引っ掛かり、自重で床に落下してしまうことがない。シャトルコックを引き出せばコックの頭部が次々と出てくる。【００１３】従来は、補助者が床に散乱したシャトルコックを一つ一つシャトルコック供給筒に入れていたので腰の曲げ伸ばしが多く、腰痛を起こしやすかった。そこで、シャトルコックの補充供給方法にカセット筒を提供する。シャトルコック供給筒は、シャトルコック羽根の最大外径より大きい内径を確保した一定の長さを有しているが、カセット筒はこの内径より更に小さい外径を持つ筒。或は縦二ツ割りにした半筒状。引き出しやすいように上端にフックを設ける。
シャトルコックを集め、カセット筒にシャトルコックの頭を下にて並べる。このまま供給筒に挿入し、引き抜けば、シャトルコックが供給筒に残る。このときカセット筒を引き抜かなくてもシャトルコックがなくなってから取れば良い。一回の手間でシャトルコックを補充できる。カセット筒を複数用意しておき、コート上に散らばったシャトルコックをこれに並べれば整理整頓できる。ノッカーの足元の邪魔にならないばかりでなくシャトルコックの補充供給が早い。
【発明を実施するための最良の形態】
【実施例】
【００１４】本考案器具は図１のようにシャトルコック供給筒２を据付けるために軽量小型で脚が伸縮できる従来の通常カメラ用三脚１を利用する。高さは利用者の使い勝手に合わせられる。脚１ｆの長さを自在に伸縮させロックナット１ｄとステー１ｃそして石突１ｅで設置する。上下左右、傾斜角度の僅かな調整も三脚ハンドル１ａやエレベーター１ｂを利用すれば簡単にできる。三本の足で支えるので安定性充分である。シャトルコック供給筒２と雲台１ｇを結合するには図３に示すように取り付プレート３を使う。雲台はもともと通常のカメラ用三脚と分離できるものである。これでシャトルコック供給筒２は支持台の通常カメラ用三脚１との着脱が簡単にでき、持ち運び移動が容易になる。【００１５】シャトルコック供給筒２上部からシャトルコック４の頭部を下にして次々に入れる。入れやすいように筒上部２ａを半円状に欠き込む。シャトルコック４は傾斜した筒の中を自重で下落していく。しかし、筒下部引き出し口２ｃでは円筒が絞られて細くなっているので、頭部と羽根の半分程度出てくるが、羽根が引っ掛かって下に落ちてしまわない構造になっている。先端頭部を手で引き出してゆくと順次自動的にシャトルコック頭部が出てくるので、これを引き出しながら連続してノックできる。【００１６】シャトルコック供給筒２は塩ビ、アクリル、樹脂製薄板筒等または薄板鉄板筒製等が最適だが、内壁が滑りやすいものであれば材質や筒の形はどんなものでも良い。
図１、図２、図５では円筒形で示している。テレスコープ式に伸縮するシャトルコック供給筒２−１、２−２で構成する。シャトルコック４の最大外径より大きい径をもつ筒状で一定の長さをもった上部分２−１と、これよりわずかに大きい内径をもった筒状で所定の長さの下部２−２を組み合わせた伸縮筒とする。伸縮式にすることで運搬に楽な短小になる。またこのシャトルコック供給筒２は、伸縮しない所定長さの一本の筒でも良い。シャトルコック４の残量が確認できるように筒に数ヵ所のシャトルコック残量確認窓２ｂをとる。【００１７】シャトルコック供給筒下部シャトルコック引き出し口２ｃ−１、２ｃ−２の形は、筒一体加工型とする。またこの部分だけ交換取替型にしても良い。【００１８】シャトルコック供給筒２を一本だけでなく、図１のように二本或いは、図５のように三本、それ以上連ねることができる。
筒先下部の引き出し口２ｃが縦長台形かまぼこ形２ｃ−１なので筒先が寄せ易い。図５はシャトルコック供給筒２を三連式とした図である。Ｗの文字のように筒下先２ｃを寄せて固定させる。シャトルコック頭部が集まって出ているので、片手で同時に三個のシャトルコック４を引き出すことができる。図５のように本考案器具をノッカーの背中側に設置する。ノッカーのラケットを振る邪魔にならない。図１のように筒先下部の引き出し口２ｃの位置はノッカーの引き出す手側背中の斜め下方が最適です。本考案器具全体は軽量なのでコート内でもそのまま手で持って移動が容易にできる。
【図面の簡単な説明】
【図１】シャトルコックを引き出す具体的利用図。ノッカーは、本考案器具を背中側に設置し、後ろ向きでシャトルコックを引き出す。
【図２】筒下部の引き出し口の断面図と斜視図を示す。右図は、二本伸縮式のシャトルコック供給筒の仕組みを示す。使用必要長さの半分になる。ここの図にはないが、三本伸縮式またはそれ以上でも可能。
【図３】取り付けプレートでシャトルコック供給筒と雲台の結合する斜視図を示す。この図中の取り付けプレートを使わないでシャトルコック供給筒と雲台を直接結合する方法も含む。
【図４】シャトルコックを供給するカセット筒の斜視図を示す。
【図５】三連式のシャトルコック供給筒を使うノッカーを上から見た図。シャトルコックを三個同時に引き出せる。ノッカーは本考案器具を後方に設置してシャトルコックを背中側から引き出すので、ラケットを振る邪魔にならない。
【符号の説明】
１    ：      従来の通常カメラ用三脚
１ａ  ：      三脚ハンドル
１ｂ  ：      エレベーター
１ｃ  ：      ステー
１ｄ  ：      ロックナット
１ｅ  ：      石突
１ｆ  ：      脚
１ｇ  ：      雲台。三脚と分離、装着が可能なものと分離できないものがある。
２    ：      シャトルコック供給筒
２−１  ：    伸縮式上部シャトルコック供給筒
２−２  ：    伸縮式下部シャトルコック供給筒
２ａ  ：      シャトルコックまたはカセット筒の入り口。半円状の欠き込み。
２ｂ  ：      シャトルコック残量確認窓
２ｃ  ：      シャトルコック引き出し口
２ｃ−１  ：  筒下先台形かまぼこ形引き出し口の断面
２ｃ−２  ：  筒下先絞り形引き出し口断面
３    ：      取り付けプレート
３ａ  ：      取り付けボルト
３ｂ  ：      座金
３ｃ  ：      筒中押さえプレート
３ｄ  ：      三角柱状ゴムパッキン
３ｅ  ：      雲台ボルト通し穴
３ｆ  ：      筒下押さえプレート
３ｇ  ：      ナット
３ｈ  ：      蝶ネジ
３ｉ  ：      座金
４    ：      シャトルコック
５    ：      カセット筒
５ａ  ：      フック
５ｂ  ：      カセット筒中シャトルコック確認窓
【図１】
2005211645.tif 000003
【図２】
2005211645.tif 000004
【図３】
2005211645.tif 000005
【図４】
2005211645.tif 000006
【図５】
2005211645.tif 000007